(57)【要約】【課題】  修理や検討を容易に行いコストダウンを図り金型代が安くつくようにする。【解決手段】  液晶パネルＥを備えた合成樹脂製フロントキャビネット１Ａと合成樹脂製リアキャビネット１Ｂとを着脱可能に嵌合させることによりキャビネット１が形成され、前記リアキャビネット１Ｂの底板部３の中央に貫設した略コ字状スタンド孔４をスタンド１１に嵌合させることにより、該スタンド１１にキャビネット１が起立状に取り付けられた液晶表示装置において、前記スタンド１１が液晶パネルＥの外装ケーシング１４にビス１２により止着され、前記リアキャビネット１Ｂの底板部３にその端縁からスタンド孔４に達する切欠部２１を形成することにより、スタンド孔４内のスタンド１１がその切欠部２１を通ってリアキャビネット１Ｂ外に離脱可能に形成され、前記切欠部２１を塞ぐ塞ぎ板２２がフロントキャビネット１Ａの底板部１ａの端縁中央に一体突設されている。【選択図】        図１
0003110945.tif 000002
【実用新案登録請求の範囲】
【請求項１】
液晶パネルを備えた合成樹脂製フロントキャビネットと合成樹脂製リアキャビネットと
を着脱可能に嵌合させることによりキャビネットが形成され、リアキャビネットの底板部
の中央に略コ字状スタンド孔が貫設され、該スタンド孔を間に挟んでリアキャビネットの
裏板部に一体突設した複数のボス部とそのリアキャビネットに固着した補強板とが所定の
間隙をおいて対向配置され、前記スタンド孔を通って各ボス部と補強板との間の間隙にス
タンドが挿通され、各ボス部の底板及びスタンドの貫通孔を通って補強板のねじ孔にビス
をねじ込むことにより、そのスタンドにキャビネットが起立状に取り付けられた液晶表示
装置において、前記各ボス部の底板にビスの通過を許容するビス挿通孔が貫設され、その
適当なビス挿通孔を通る複数のビスによりスタンドが補強板を介して液晶パネルの外装ケ
ーシングのねじ孔にねじ込まれ、前記リアキャビネットの底板部にその端縁からスタンド
孔に達する切欠部を形成することにより、スタンド孔内のスタンドがその切欠部を通って
リヤキャビネット外に離脱可能に形成され、前記切欠部を塞ぐ塞ぎ板がフロントキャビネ
ットの底板部の端縁中央に一体突設されていることを特徴とする液晶表示装置。
【請求項２】
液晶パネルを備えた合成樹脂製フロントキャビネットと合成樹脂製リアキャビネットと
を着脱可能に嵌合させることによりキャビネットが形成され、リアキャビネットの底板部
の中央に略コ字状スタンド孔が貫設され、該スタンド孔を間に挟んでリアキャビネットの
裏板部に一体突設した複数のボス部とそのリアキャビネットに固着した補強板とが所定の
間隙をおいて対向配置され、前記スタンド孔を通って各ボス部と補強板との間の間隙にス
タンドが挿通され、各ボス部の底板及びスタンドの貫通孔を通って補強板のねじ孔にビス
をねじ込むことにより、そのスタンドにキャビネットが起立状に取り付けられた液晶表示
装置において、前記スタンドの両側縁から上方に延びる一対の連結杆の前面に補強板を当
接させると共に、該補強板の下端縁から後方に一体延設された係合片をスタンドの上端縁
に係合させることにより、各連結杆に貫設した上下一対の貫通孔が補強板に形成したねじ
孔に同心状に位置決めされ、各連結杆の下側貫通孔を通って補強板のねじ孔にビスをねじ
込むことにより、補強板がスタンドに連結され、該補強板の上部から前方に折り曲げた受
け板部とその補強板の前面とに液晶パネルの外装ケーシングの下端角部を当接させること
により、該外装ケーシングのねじ孔が各連結杆の上側貫通孔及び補強板のねじ孔に同心状
に位置決めされ、各連結杆の上側貫通孔及び補強板のねじ孔を通って外装ケーシングのね
じ孔にビスをねじ込むことにより、液晶パネル付きフロントキャビネットがスタンドに連
結され、前記各ボス部の底板にビスの通過を許容するビス挿通孔が貫設され、前記リアキ
ャビネットの底板部にその端縁からスタンド孔に達する切欠部を形成することにより、ス
タンド孔内のスタンドがその切欠部を通ってリヤキャビネット外に離脱可能に形成され、
前記切欠部を塞ぐ塞ぎ板がフロントキャビネットの底板部の端縁中央に一体突設されてい
ることを特徴とする液晶表示装置。
【請求項３】
液晶パネルを備えた合成樹脂製フロントキャビネットと合成樹脂製リアキャビネットと
を着脱可能に嵌合させることによりキャビネットが形成され、前記リアキャビネットの底
板部の中央に貫設した略コ字状スタンド孔をスタンドに嵌合させることにより、該スタン
ドにキャビネットが起立状に取り付けられた液晶表示装置において、前記スタンドが液晶
パネルの外装ケーシングにビスにより止着され、前記リアキャビネットの底板部にその端
縁からスタンド孔に達する切欠部を形成することにより、スタンド孔内のスタンドがその
切欠部を通ってリヤキャビネット外に離脱可能に形成され、前記切欠部を塞ぐ塞ぎ板がフ
ロントキャビネットの底板部の端縁中央に一体突設されていることを特徴とする液晶表示
装置。
【請求項４】
前記スタンドが補強板を介して液晶パネルの外装ケーシングにビスにより止着されてい
ることを特徴とする請求項３に記載の液晶表示装置。
【請求項５】
前記各ビスに対向してリアキャビネットの裏板部に複数のボス部が一体突設され、該各
ボス部の底板に、ビスの通過を許容するビス挿通孔が貫設されていることを特徴とする請
求項３または４に記載の液晶表示装置。
【請求項６】
前記スタンドの両側縁から上方に延びる一対の連結杆の前面に補強板を当接させると共
に、該補強板の下端縁から後方に一体延設された係合片をスタンドの上端縁に係合させる
ことにより、各連結杆に貫設した上下一対の貫通孔が補強板に形成したねじ孔に同心状に
位置決めされ、各連結杆の下側貫通孔を通って補強板のねじ孔にビスをねじ込むことによ
り、補強板がスタンドに連結されていることを特徴とする請求項３〜５のいずれかに記載
の液晶表示装置。
【請求項７】
前記補強板の上部から前方に折り曲げた受け板部とその補強板の前面とに液晶パネルの
外装ケーシングの下端角部を当接させることにより、該外装ケーシングのねじ孔が各連結
杆の上側貫通孔及び補強板のねじ孔に同心状に位置決めされ、各連結杆の上側貫通孔及び
補強板のねじ孔を通って外装ケーシングのねじ孔にビスをねじ込むことにより、液晶パネ
ル付きフロントキャビネットがスタンドに連結されていることを特徴とする請求項６に記
載の液晶表示装置。
【考案の詳細な説明】
【技術分野】
【０００１】
本考案は、修理や検討を容易に行いコストダウンを図り金型代が安くつくようにした液
晶表示装置に関する。
【背景技術】
【０００２】
従来、液晶表示装置の技術として特許文献１などに記載したものがあり、その一例を図
１０〜図１４に基づいて説明すると、これは、液晶パネルＥを備えた合成樹脂製フロント
キャビネット１Ａと合成樹脂製リアキャビネット１Ｂとをねじ２により着脱可能に嵌合さ
せることによりキャビネット１が形成され、リアキャビネット１Ｂの底板部３の中央に略
コ字状スタンド孔４が貫設され、そのスタンド孔４に向けてリアキャビネット１Ｂの裏板
部５の下部に前後左右４つのボス部６が一体突設され、前記裏板部５に止着した金属製基
板７の下端に一体延設した延長板８が左右ボス部６間に差し込まれると共に、該延長板８
の両側縁から略Ｌ字状に折り曲げた左右一対の補強板９がスタンド孔４を間に挟んで各ボ
ス部６の底板６ａに所定の間隙ｔをおいて対向配置され、基台１０にチルト可能に支持さ
れたスタンド１１の両側縁から上方に延びる一対のＬ字状連結杆１１ａがスタンド孔４を
通って各ボス部６と補強板９との間の間隙ｔに挿通され、各ボス部６の底板６ａ及び各連
結杆１１ａの貫通孔１１ｂを通って補強板９のねじ孔９ａにビス１２をねじ込むことによ
り、スタンド１１にキャビネット１が起立状に取り付けられている。なお、１３は液晶パ
ネルＥの外装ケーシング１４の裏面に止着したプリント基板である。
【０００３】
修理や検討の手順を説明すると、図１５（ａ）に示すように、ビス１２を取り外し、キ
ャビネット１を把持して持ち上げることにより、スタンド１１を各ボス部６及び補強板９
から抜き出し、図１５（ｂ）に示すように、ねじ２の螺着を解除し、液晶パネルＥ付きフ
ロントキャビネット１Ａからリアキャビネット１Ｂを取り外す。
【０００４】
続いて、図１６に示すように、テーブル１５上のストックヤードＳ１にテスト前の液晶
パネルＥ付きフロントキャビネット１Ａを待機させると共に、該ストックヤードＳ１に隣
接するテストヤードＳ２の支え杆１６に液晶パネルＥ付きフロントキャビネット１Ａを斜
めにして立て掛け、該フロントキャビネット１Ａの前面側から液晶パネルＥの画面を目視
しつつ、そのフロントキャビネット１Ａの後面側から液晶パネルＥやプリント基板１３を
操作して修理や微調整などの検討を行う。
【特許文献１】特開２００３−１５５４２号公報
【考案の開示】
【考案が解決しようとする課題】
【０００５】
上記従来の構成では、液晶パネルＥ付きフロントキャビネット１Ａが自立できない構造
であり、テストヤードＳ２で修理や検討を行う場合に、その液晶パネルＥ付きフロントキ
ャビネット１Ａを支え杆１６などに立て掛ける必要があるため、その修理や検討に手間と
時間とがかかって面倒であり、また、ストックヤードＳ１で各液晶パネルＥ付きフロント
キャビネット１Ａを寝かせてストックするため、その専有範囲を広く確保する必要があり
、コストアップにつながる。
【０００６】
更に、図１１に示すように、スタンド孔４がリアキャビネット１Ｂに略コ字状に形成さ
れており、そのスタンド孔４を形成するためには、リアキャビネット１Ｂを成形する雄雌
両金型（図示せず）に、その雄雌両金型の嵌合方向ａ，ｂとは直交する方向ｃ，ｄにスラ
イド可能な略コ字状のスライド金型（図示せず）を組み込む必要があるから、その金型構
造が複雑になって、金型代が高くつく。
【０００７】
本考案は、上記従来の欠点に鑑み、修理や検討を容易に行いコストダウンを図り金型代
が安くつくようにした液晶表示装置を提供することを目的としている。
【課題を解決するための手段】
【０００８】
上記目的を達成するため、請求項１に記載の考案は、液晶パネルを備えた合成樹脂製フ
ロントキャビネットと合成樹脂製リアキャビネットとを着脱可能に嵌合させることにより
キャビネットが形成され、リアキャビネットの底板部の中央に略コ字状スタンド孔が貫設
され、該スタンド孔を間に挟んでリアキャビネットの裏板部に一体突設した複数のボス部
とそのリアキャビネットに固着した補強板とが所定の間隙をおいて対向配置され、前記ス
タンド孔を通って各ボス部と補強板との間の間隙にスタンドが挿通され、各ボス部の底板
及びスタンドの貫通孔を通って補強板のねじ孔にビスをねじ込むことにより、そのスタン
ドにキャビネットが起立状に取り付けられた液晶表示装置において、前記各ボス部の底板
にビスの通過を許容するビス挿通孔が貫設され、その適当なビス挿通孔を通る複数のビス
によりスタンドが補強板を介して液晶パネルの外装ケーシングのねじ孔にねじ込まれ、前
記リアキャビネットの底板部にその端縁からスタンド孔に達する切欠部を形成することに
より、スタンド孔内のスタンドがその切欠部を通ってリヤキャビネット外に離脱可能に形
成され、前記切欠部を塞ぐ塞ぎ板がフロントキャビネットの底板部の端縁中央に一体突設
されていることを特徴としている。
【０００９】
請求項２に記載の考案は、液晶パネルを備えた合成樹脂製フロントキャビネットと合成
樹脂製リアキャビネットとを着脱可能に嵌合させることによりキャビネットが形成され、
リアキャビネットの底板部の中央に略コ字状スタンド孔が貫設され、該スタンド孔を間に
挟んでリアキャビネットの裏板部に一体突設した複数のボス部とそのリアキャビネットに
固着した補強板とが所定の間隙をおいて対向配置され、前記スタンド孔を通って各ボス部
と補強板との間の間隙にスタンドが挿通され、各ボス部の底板及びスタンドの貫通孔を通
って補強板のねじ孔にビスをねじ込むことにより、そのスタンドにキャビネットが起立状
に取り付けられた液晶表示装置において、前記スタンドの両側縁から上方に延びる一対の
連結杆の前面に補強板を当接させると共に、該補強板の下端縁から後方に一体延設された
係合片をスタンドの上端縁に係合させることにより、各連結杆に貫設した上下一対の貫通
孔が補強板に形成したねじ孔に同心状に位置決めされ、各連結杆の下側貫通孔を通って補
強板のねじ孔にビスをねじ込むことにより、補強板がスタンドに連結され、該補強板の上
部から前方に折り曲げた受け板部とその補強板の前面とに液晶パネルの外装ケーシングの
下端角部を当接させることにより、該外装ケーシングのねじ孔が各連結杆の上側貫通孔及
び補強板のねじ孔に同心状に位置決めされ、各連結杆の上側貫通孔及び補強板のねじ孔を
通って外装ケーシングのねじ孔にビスをねじ込むことにより、液晶パネル付きフロントキ
ャビネットがスタンドに連結され、前記各ボス部の底板にビスの通過を許容するビス挿通
孔が貫設され、前記リアキャビネットの底板部にその端縁からスタンド孔に達する切欠部
を形成することにより、スタンド孔内のスタンドがその切欠部を通ってリヤキャビネット
外に離脱可能に形成され、前記切欠部を塞ぐ塞ぎ板がフロントキャビネットの底板部の端
縁中央に一体突設されていることを特徴としている。
【００１０】
請求項３に記載の考案は、液晶パネルを備えた合成樹脂製フロントキャビネットと合成
樹脂製リアキャビネットとを着脱可能に嵌合させることによりキャビネットが形成され、
前記リアキャビネットの底板部の中央に貫設した略コ字状スタンド孔をスタンドに嵌合さ
せることにより、該スタンドにキャビネットが起立状に取り付けられた液晶表示装置にお
いて、前記スタンドが液晶パネルの外装ケーシングにビスにより止着され、前記リアキャ
ビネットの底板部にその端縁からスタンド孔に達する切欠部を形成することにより、スタ
ンド孔内のスタンドがその切欠部を通ってリヤキャビネット外に離脱可能に形成され、前
記切欠部を塞ぐ塞ぎ板がフロントキャビネットの底板部の端縁中央に一体突設されている
ことを特徴としている。
【００１１】
請求項４に記載の考案は、請求項３に記載の考案において、前記スタンドが補強板を介
して液晶パネルの外装ケーシングにビスにより止着されていることを特徴としている。
【００１２】
請求項５に記載の考案は、請求項３または４に記載の考案において、前記各ビスに対向
してリアキャビネットの裏板部に複数のボス部が一体突設され、該各ボス部の底板に、ビ
スの通過を許容するビス挿通孔が貫設されていることを特徴としている。
【００１３】
請求項６に記載の考案は、請求項３〜５のいずれかに記載の考案において、前記スタン
ドの両側縁から上方に延びる一対の連結杆の前面に補強板を当接させると共に、該補強板
の下端縁から後方に一体延設された係合片をスタンドの上端縁に係合させることにより、
各連結杆に貫設した上下一対の貫通孔が補強板に形成したねじ孔に同心状に位置決めされ
、各連結杆の下側貫通孔を通って補強板のねじ孔にビスをねじ込むことにより、補強板が
スタンドに連結されていることを特徴としている。
【００１４】
請求項７に記載の考案は、請求項６に記載の考案において、前記補強板の上部から前方
に折り曲げた受け板部とその補強板の前面とに液晶パネルの外装ケーシングの下端角部を
当接させることにより、該外装ケーシングのねじ孔が各連結杆の上側貫通孔及び補強板の
ねじ孔に同心状に位置決めされ、各連結杆の上側貫通孔及び補強板のねじ孔を通って外装
ケーシングのねじ孔にビスをねじ込むことにより、液晶パネル付きフロントキャビネット
がスタンドに連結されていることを特徴としている。
【考案の効果】
【００１５】
請求項１記載の考案は、第１の実施の形態（図１〜図６参照）に対応するものであって
、これによれば、液晶パネル付きフロントキャビネットがスタンドを介して自立される構
造であり、修理や検討を行う場合に、その液晶パネル付きフロントキャビネットを従来の
ように支え杆などで支える必要がないため、その修理や検討を迅速容易に行うことができ
、また、ストックヤードで各液晶パネル付きフロントキャビネットを自立させた状態でス
トックするため、その専有範囲を従来に比べて狭くして、コストダウンを図ることができ
る。
【００１６】
更に、リアキャビネットの底板部にその端縁からスタンド孔に達する切欠部を形成して
おり、リアキャビネットを成形する雄雌両金型だけでその切欠部及びスタンド孔を成形す
ることができ、その雄雌両金型に従来のようにスライド金型を組み込む必要がなから、そ
の必要がない分だけ金型構造を簡略化して金型代を安くすることができる。
【００１７】
また更に、補強板により液晶パネルの外装ケーシングとスタンドとの連結構造が補強さ
れているので、その液晶パネル付きフロントキャビネットを一層安定して自立させること
ができる。
【００１８】
しかも、フロントキャビネットからリアキャビネットを取り外すことなく、各ボス部の
ビス挿通孔を通って各ビスのねじ込み及びねじ込み解除を行って、スタンドと液晶パネル
との連結及び連結解除の操作を迅速容易に行うことができる。
【００１９】
請求項２記載の考案は、第２の実施の形態（図７〜図９参照）に対応するものであって
、これによれば、請求項１に記載の考案とほぼ同様の効果を得ることができ、特に、補強
板の係合片をスタンドの上端縁に係合させるだけで、該スタンドの各連結杆に貫設した上
下一対の貫通孔に補強板のねじ孔を同心状に位置決めすることができると共に、各連結杆
の下側貫通孔を通って補強板のねじ孔にビスをねじ込むだけで、補強板をスタンドに簡単
に連結することができる。また、補強板の受け板部とその補強板の前面とに液晶パネルの
外装ケーシングの下端角部を当接させるだけで、該外装ケーシングのねじ孔を各連結杆の
上側貫通孔及び補強板のねじ孔に同心状に位置決めすることができると共に、各連結杆の
上側貫通孔及び補強板のねじ孔を通って外装ケーシングのねじ孔にビスをねじ込むだけで
、液晶パネル付きフロントキャビネットをスタンドに簡単確実に連結することができる。
【００２０】
請求項３に記載の考案は、基本形態に対応するものであって、液晶パネル付きフロント
キャビネットがスタンドを介して自立される構造であり、修理や検討を行う場合に、その
液晶パネル付きフロントキャビネットを従来のように支え杆などで支える必要がないため
、その修理や検討を迅速容易に行うことができ、また、ストックヤードで各液晶パネル付
きフロントキャビネットを自立させた状態でストックするため、その専有範囲を従来に比
べて狭くして、コストダウンを図ることができる。
【００２１】
更に、リアキャビネットの底板部にその端縁からスタンド孔に達する切欠部を形成して
おり、リアキャビネットを成形する雄雌両金型だけでその切欠部及びスタンド孔を成形す
ることができ、その雄雌両金型に従来のようにスライド金型を組み込む必要がなから、そ
の必要がない分だけ金型構造を簡略化して金型代を安くすることができる。
【００２２】
請求項４に記載の考案によれば、補強板により液晶パネルの外装ケーシングとスタンド
との連結構造が補強されているので、その液晶パネル付きフロントキャビネットを一層安
定して自立させることができる。
【００２３】
請求項５に記載の考案によれば、フロントキャビネットからリアキャビネットを取り外
すことなく、各ボス部のビス挿通孔を通って各ビスのねじ込み及びねじ込み解除を行って
、スタンドと液晶パネルとの連結及び連結解除の操作を迅速容易に行うことができる。
【００２４】
請求項６に記載の考案によれば、補強板の係合片をスタンドの上端縁に係合させるだけ
で、該スタンドの各連結杆に貫設した上下一対の貫通孔に補強板のねじ孔を同心状に位置
決めすることができると共に、各連結杆の下側貫通孔を通って補強板のねじ孔にビスをね
じ込むだけで、補強板をスタンドに簡単に連結することができる。
【００２５】
請求項７記載の考案によれば、補強板の受け板部とその補強板の前面とに液晶パネルの
外装ケーシングの下端角部を当接させるだけで、該外装ケーシングのねじ孔を各連結杆の
上側貫通孔及び補強板のねじ孔に同心状に位置決めすることができると共に、各連結杆の
上側貫通孔及び補強板のねじ孔を通って外装ケーシングのねじ孔にビスをねじ込むだけで
、液晶パネル付きフロントキャビネットをスタンドに簡単確実に連結することができる。
【考案を実施するための最良の形態】
【００２６】
図１〜図５は本考案の第１の実施の形態である液晶表示装置を示すものであって、液晶
パネルＥの外装ケーシング１４の裏面下部を部分的に絞り加工を施すことにより後方に膨
出させて左右一対の截頭円錐形支持台１８が形成され、該各支持台１８の後端面中央にバ
ーリング加工により円筒部１８ａが形成されると共に、該円筒部１８ａの内周面にねじ孔
１９が形成され、スタンド１１の両連結杆１１ａの前面に金属製矩形板状補強板２０が配
置され、該各連結杆１１ａの上下一対の貫通孔１１ｂを通って補強板２０のねじ孔２０ａ
に４本のビス１２をそれぞれねじ込むと共に、上側２本のビス１２を前記各支持台１８の
ねじ孔１９にねじ込むことにより、液晶パネルＥが補強板２０を介してスタンド１１に取
り付けられている。
【００２７】
図５に示すように、リアキャビネット１Ｂの底板部３にその端縁からスタンド孔４に達
する該スタンド孔４と同幅ｈの切欠部２１を形成することにより、スタンド孔４内のスタ
ンド１１がその切欠部２１を通ってリアキャビネット１Ｂ外に離脱可能に形成され、前記
切欠部２１を塞ぐ塞ぎ板２２がフロントキャビネット１Ａの底板部１ａの端縁中央に一体
突設されている。上記以外の構成で図１０〜図１６に示す構成と同一部分に同一符号を付
してその説明を省略する。
【００２８】
修理や検討の手順を説明すると、図１に仮想線で示すように、ねじ２を取り外した後、
液晶パネルＥ付きフロントキャビネット１Ａからリアキャビネット１Ｂを取り外す。
【００２９】
続いて、図６に示すように、テーブル１５上のストックヤードＳ１にテスト前の液晶パ
ネルＥ付きフロントキャビネット１Ａを基台１０及びスタンド１１を介して自立させた状
態で待機させると共に、該ストックヤードＳ１に隣接するテストヤードＳ２にテストする
液晶パネルＥ付きフロントキャビネット１Ａを自立させ、フロントキャビネット１Ａの前
面側から液晶パネルＥの画面を目視しつつ、そのフロントキャビネット１Ａの後面側から
液晶パネルＥやプリント基板１３を操作して修理や微調整などの検討を行う。
【００３０】
上記構成によれば、液晶パネルＥ付きフロントキャビネット１Ａがスタンド１１を介し
て自立される構造であり、修理や検討を行う場合に、その液晶パネルＥ付きフロントキャ
ビネット１Ａを従来のように支え杆１６（図１６参照）などで支える必要がないため、そ
の修理や検討を迅速容易に行うことができ、また、ストックヤードＳ１で各液晶パネルＥ
付きフロントキャビネット１Ａを自立させた状態でストックするため、その専有範囲を従
来に比べて狭くして、コストダウンを図ることができる。
【００３１】
更に、図２に示すように、リアキャビネット１Ｂの底板部３にその端縁からスタンド孔
４に達する切欠部２１を形成しており、矢印ａ，ｂ方向に嵌合してリアキャビネット１Ｂ
を成形する雄雌両金型だけでその切欠部２１及びスタンド孔４を成形することができ、そ
の雄雌両金型に従来のように矢印ａ，ｂ方向とは直交する方向に嵌合するスライド金型を
組み込む必要がなから、その必要がない分だけ金型構造を簡略化して金型代を安くするこ
とができる。
【００３２】
また更に、補強板２０により液晶パネルＥの外装ケーシング１４とスタンド１１との連
結構造が補強されているので、その液晶パネル付きフロントキャビネットを一層安定して
自立させることができる。
【００３３】
図３及び図４に示すように、前記各ビス１２に対向してリアキャビネット１Ｂの裏板部
５に複数（この実施の形態では４つ）のボス部６が一体突設され、該各ボス部６の底板６
ａに、ビス１２の通過を許容するビス挿通孔２３が貫設されており、フロントキャビネッ
ト１Ａからリアキャビネット１Ｂを取り外すことなく、各ボス部６のビス挿通孔２３を通
って各ビス１２のねじ込み及びねじ込み解除を行って、スタンド１１と液晶パネルＥとの
連結及び連結解除の操作を迅速容易に行うことができる。
【００３４】
上記の実施の形態では、液晶パネルＥの外装ケーシング１４とスタンド１１との間に補
強板２０を介在させたが、その補強板２０を省略してもよいし、リアキャビネット１Ｂに
一体突設したビス挿通孔２３付きボス部６を省略してもよい。
【００３５】
図７〜図９は本考案の第２の実施の形態である液晶表示装置を示すものであって、補強
板２０の下端縁から後方に略Ｌ字状係合片２５が一体延設され、該係合片２５の幅ｄが両
連結杆１１ａ間の間隔と同一または若干小さく設定され、前記該補強板２０の上部に一対
のスリットを形成し、該両スリット間の受け板部３６が前方に直角に折り曲げられている
。上記以外の構成は第１の実施の形態とほぼ同じであるから、同一部分に同一符号を付し
てその説明を省略する。
【００３６】
液晶パネルＥの連結手順を説明すると、図９（ａ）に示すように、各連結杆１１ａの前
面に補強板２０を当接させると共に、該補強板２０の係合片２５をスタンド１１のの上端
縁１１ｃに係合させることにより、各連結杆１１ａの上下一対の貫通孔１１ｂに補強板２
０の各ねじ孔２０ａを同心状に位置決めし、図９（ｂ）に示すように、各連結杆１１ａの
下側貫通孔１１ｂを通って補強板２０のねじ孔２０ａにビス１２をねじ込むことにより、
補強板２０をスタンド１１に連結し、図９（ｃ）に示すように、補強板２０の受け板部３
６とその補強板２０の前面とに液晶パネルＥの外装ケーシング１４の下端角部を当接させ
ることにより、該外装ケーシング１４のねじ孔１９を各連結杆１１ａの上側貫通孔１１ｂ
及び補強板２０のねじ孔２０ａに同心状に位置決めし、各連結杆１１ａの上側貫通孔１１
ｂ及び補強板２０のねじ孔２０ａを通って外装ケーシング１４のねじ孔１９にビス１２を
ねじ込むことにより、液晶パネルＥ付きフロントキャビネット１Ａをスタンド１１に連結
する。
【００３７】
上記構成によれば、第１の実施の形態（図１〜図６参照）とほぼ同じ効果を得ることが
でき、特に、補強板２０の係合片２５をスタンド１１の上端縁１１ｃに係合させるだけで
、該スタンド１１の各連結杆１１ａに貫設した上下一対の貫通孔１１ｂに補強板２０のね
じ孔２０ａを同心状に位置決めすることができると共に、各連結杆１１ａの下側貫通孔１
１ｂを通って補強板２０のねじ孔２０ａにビス１２をねじ込むだけで、補強板２０をスタ
ンド１１に簡単に連結することができる。また、補強板２０の受け板部３６とその補強板
２０の前面とに液晶パネルＥの外装ケーシング１４の下端角部を当接させるだけで、該外
装ケーシング１４のねじ孔１９を各連結杆１１ａの上側貫通孔１１ｂ及び補強板２０のね
じ孔２０ａに同心状に位置決めすることができると共に、各連結杆１１ａの上側貫通孔１
１ｂ及び補強板２０のねじ孔２０ａを通って外装ケーシング１４のねじ孔２０ａにビス１
２をねじ込むだけで、液晶パネルＥ付きフロントキャビネット１Ａをスタンド１１に簡単
確実に連結することができる。
【図面の簡単な説明】
【００３８】
【図１】本考案の第１の実施の形態である液晶表示装置を示す縦断面図である。
【図２】同分解斜視図である。
【図３】同要部の拡大縦断面図である。
【図４】図３のＡ−Ａ矢視図である。
【図５】図３のＢ−Ｂ矢視図である。
【図６】修理や検討の状態を説明する斜視図である。
【図７】本考案の第２の実施の形態である液晶表示装置を示す要部の拡大縦断面図である。
【図８】同要部の斜視図である。
【図９】（ａ）〜（ｃ）は液晶パネルの連結手順を示す説明図である。
【図１０】従来例を示す縦断面図である。
【図１１】同分解斜視図である。
【図１２】同要部の拡大縦断面図である。
【図１３】図１２のＣ−Ｃ矢視図である。
【図１４】図１２のＤ−Ｄ矢視図である。
【図１５】（ａ）及び（ｂ）は分解手順を示す縦断面図である。
【図１６】修理や検討の状態を説明する斜視図である。
【符号の説明】
【００３９】
１        キャビネット
１Ａ      フロントキャビネット
１Ｂ      リアキャビネット
１ａ      フロントキャビネットの底板部
３        リアキャビネットの底板部
４        スタンド孔
５        リアキャビネットの裏板部
６        ボス部
６ａ      ボス部の底板
９        補強板
１１      スタンド
１１ａ    スタンドの連結杆
１１ｂ    連結杆の貫通孔
１１ｃ    スタンドの上端縁
１２      ビス
１４      液晶パネルの外装ケーシング
１９      外装ケーシングのねじ孔
２０      補強板
２０ａ    補強板のねじ孔
２１      切欠部
２２      塞ぎ板
２３      ビス挿通孔
２５      補強板の係合片
２６      補強板の受け板部
Ｅ        液晶パネル
ｔ        間隙
【図１】
0003110945.tif 000003
【図２】
0003110945.tif 000004
【図３】
0003110945.tif 000005
【図４】
0003110945.tif 000006
【図５】
0003110945.tif 000007
【図６】
0003110945.tif 000008
【図７】
0003110945.tif 000009
【図８】
0003110945.tif 000010
【図９】
0003110945.tif 000011
【図１０】
0003110945.tif 000012
【図１１】
0003110945.tif 000013
【図１２】
0003110945.tif 000014
【図１３】
0003110945.tif 000015
【図１４】
0003110945.tif 000016
【図１５】
0003110945.tif 000017
【図１６】
0003110945.tif 000018